(57)【特許請求の範囲】
【請求項１】
液状化粧料（１）を収容した容器本体（３）と、該容器本体（３）を密閉するキャップ（５）とよりなり、該キャップ（５）の天井部分より塗布棒（７）が垂下し、該塗布棒（７）の先端側面に塗布部（９）を設け、容器本体（３）内で前記塗布棒（７）の挿脱の際塗布棒（７）に付着した液状化粧料（１）を払拭する払拭部材（３５）を内装する化粧料容器において、
先端から中央部にかけて中心軸（７９）と平行にＵ字状凹溝（７１）を刻設する前記塗布棒（７）と、Ｕ字状凹溝（７１）の底部（７３）に沿って帯状に複数のブラシ毛（９１）を配設し、該ブラシ毛（９１）の先端を前記塗布棒（７）よりも突出した塗布部（９）とを有し、
前記塗布部（９）が払拭部材（３５）を通過の際ブラシ毛（９１）がＵ字状凹溝（７１）内に押し曲げられ、前記Ｕ字状凹溝（７１）はブラシ毛（９１）が押し曲げられた際ブラシ毛（９１）を収容可能な十分なスペースを有しており、前記塗布部（９）が払拭部材（３５）を通過後ブラシ毛（９１）がＵ字状凹溝（７１）内に残留した液状化粧料（１）を全面に付着させた状態で立ち上がることを特徴とする化粧料塗布具。
【発明の詳細な説明】
【技術分野】
【０００１】
本発明はマスカラ等の化粧料塗布具に関する。詳しくは先端側面に塗布部を有する塗布棒に関し、払拭部材により塗布棒に付着する化粧料を払拭されると同時に塗布部に付着する化粧料を適量且つ均一にする化粧料塗布具に関する。
【背景技術】
【０００２】
マスカラ、アイライナー、リップグロス等は、容器本体内に収容する液状化粧料を塗布棒の先の塗布部に付着して取り出し、睫毛、瞼、唇等に塗布するため使用している。従来、マスカラやアイブロー用の塗布具には、特許文献１に示すようにブラシ毛の中央部を芯線で螺旋状に巻回して塗布部を形成するねじりブラシが広く使用されてきた。
【０００３】
塗布部は容器本体内の液状化粧料に浸漬することで液状化粧料を付着し、余分に付着する液状化粧料は払拭部材でしごき適量に調節する。そのため払拭部材を構成するしごき片は塗布棒に付着した液状化粧料を抜き取るため塗布棒に密着するよう円形の払拭穴を形成している。
【０００４】
他方、マスカラやアイブロー用の塗布具を特許文献２に示すように非円形の開口部を有する払拭部材に整合する非円形の断面形状の塗布部が提案されている。
【０００５】
【特許文献１】特開昭６２-２８１９０３号公報
【特許文献２】特表平１１-５０３３４５号公報
【発明の開示】
【発明が解決しようとする課題】
【０００６】
特許文献１に示す塗布部は、中央で折り返す芯線の間にブラシ毛を均一に配置して捻るもので工程が少なく容易に製作できる。
【０００７】
特許文献１はねじりブラシを用いたものであり塗布部は断面円形の円柱形状、円錐台形状等をなす。特許文献１の場合、塗布部に過剰に付着する液状化粧料は払拭部材により外周から加圧払拭されるため払拭部からの圧力のかかり難い塗布部の中心側に液状化粧料が偏在することになる。中心側に多く残留する液状化粧料は塗布部の向きや僅かな力の変化で睫毛等に対する塗布ムラとなる危険性を有していた。
【０００８】
特許文献２では塗布部及び塗布棒を非円形にすると共に、塗布部を払拭する払拭部の形状を塗布部と同じ非円形にしている。特許文献２において塗布部は非円形になることでコームに近づき櫛のように使えるようにしている。
【０００９】
しかし、非円形の払拭穴を持つ払拭部と非円形の塗布棒、塗布部を図１のように組み合わせようとする場合、塗布棒の挿入時に払拭部と塗布部との向きを揃える必要が生じ、キャッピングが面倒なものとなる。
【００１０】
本発明はこのような問題点に鑑みてなされたものでその目的とするところは、塗布部を軸長方向に直線状に伸ばした帯状、櫛状にして睫毛の毛元まで失敗なく塗布できる化粧料塗布具を提供しようとするものである。さらに塗布部に付着する液状化粧料が偏在することのない化粧料塗布具を提供しようとするものである。またこのような化粧料塗布具を安価に提供できるようにするものである。
【課題を解決するための手段】
【００１１】
本発明化粧料塗布具は、上記目的を達成するため断面略円形の塗布棒７の先端から中心軸７９と平行にＵ字状凹溝７１を刻設し、さらにＵ字状凹溝７１の底部７３に沿って塗布部９を帯状、櫛状に配設するものである。
【００１２】
すなわち先端から中央部にかけて中心軸７９と平行にＵ字状凹溝７１を刻設する前記塗布棒７と、Ｕ字状凹溝７１の底部７３に沿って帯状に複数のブラシ毛９１を配設し、該ブラシ毛９１の先端を前記塗布棒７よりも突出した塗布部９とを有し、前記塗布部９が払拭部材３５を通過の際ブラシ毛９１がＵ字状凹溝７１内に押し曲げられ、前記Ｕ字状凹溝７１はブラシ毛９１が押し曲げられた際ブラシ毛９１を収容可能な十分なスペースを有しており、前記塗布部９が払拭部材３５を通過後ブラシ毛９１がＵ字状凹溝７１内に残留した液状化粧料１を全面に付着させた状態で立ち上がるようにしたものである。
【発明の効果】
【００１３】
本発明化粧料塗布具にあっては以下に記載する効果を奏する。
すなわち塗布部９を形成するブラシ毛９１は払拭部材３５を通過する際の押圧力によりＵ字状凹溝７１内に押し込まれる。同時に塗布棒外周が扱かれ、過剰に付着する液状化粧料１を払拭する。同時にＵ字状凹溝７１内にはブラシ毛と共に扱き残された液状化粧料１が均一に分布される。そのため払拭部材３５通過後塗布部９が形状復帰する際、ブラシ毛９１は液状化粧料１を表面全体にわたり均一に付着し、塗布時の塗布ムラをなくすことができる。
【００１４】
また塗布棒９に形成されるＵ字状凹溝７１は外力によらず一定形状を保つことから、払拭部材３５の通過後Ｕ字状凹溝７１内に残留する液状化粧料１は設計段階で計算によって予測をつけることが容易になる。そのため塗布部９に付着する液状化粧料１の量を、テストを繰り返し調整する必要がなくなる。
【発明を実施するための最良の形態】
【００１５】
次に本発明を図に基づいて説明する。図１は、本発明化粧料塗布具を用いたマスカラ容器の組立て説明図である。図１はマスカラ容器の断面図を表し、上部を開口するとともに液状化粧料１を収容する筒状の容器本体３、容器本体３に螺着して閉蓋するキャップ５より構成される。キャップ５には楕円を含む断面略円形の塗布棒７が垂下される。塗布棒７の先端から中央部にかけて中心軸７９と平行なＵ字状凹溝７１が刻設されている。Ｕ字状凹溝７１の底部７３にはブラシ毛９１が植設され塗布部９が構成されている。容器本体３には雄螺子部３３を有する首筒３１が嵌着されており、首筒３１の下部にはしごき片３７を有する払拭部材３５が止着される。しごき片３７は塗布棒７の外周に密着するよう成形され、塗布棒７に付着する余分な液状化粧料１をしごき取る。
【００１６】
図２は図１にて示された本発明に係る塗布部組み立て実施例説明図である。
図２（Ａ）はキャップ５から垂下される塗布部の縦断面図、図２（Ｂ）は塗布部の横断面図であって図２（Ａ）のＡＡ断面拡大図を示す。図２（Ａ）では小さく束ねられたブラシ毛９１がＵ字状凹溝７１の底面７３および塗布棒７の先端側に打ち込まれている。塗布棒７の先端部では塗布部９を形成するブラシ毛９１の向きが大きく変化し軸長方向を向いている。ブラシ毛９１の向きはＵ字状凹溝７１の底面７３に形成される打ち込み穴を任意の方向に方向付けすることで決定される。
【００１７】
図３は容器本体における塗布部の抜き取り説明図である。塗布部９は塗布棒７の先端から中心軸７９と平行に刻設したＵ字状凹溝７１に沿って帯状に配設されている。塗布部９が払拭部材３５に対し矢印Ｘ１方向に抜き取られ払拭される場合、塗布部９が払拭部材３５を通過する際ブラシ毛９１はＵ字状凹溝７１内に大きく曲げられる。そのため複数のブラシ毛９１からなる塗布部９は小さな力でＵ字状凹溝７１内に収納された状態となる。塗布部９をＵ字状凹溝７１内に収納する塗布棒７は表面に付着する過剰な液状化粧料１をしごき片３７により扱き取られる。しかし、塗布棒７のＵ字状凹溝７１内には液状化粧料１が残留する。
塗布部９が払拭部材３５を通過後、ブラシ毛９１は復元力によりＵ字状凹溝７１内より立ち上がる。この際、Ｕ字状凹溝７１内に残留した液状化粧料１がブラシ毛９１の表面全体に付着した状態となり、この付着した液状化粧料１を塗布できる。
【００１８】
上記説明では塗布部９を矢印Ｘ１方向に抜き取る状態としているが、容器本体３内に逆円錐状の払拭部３５を介し塗布部９を矢印Ｘ２方向に挿入する場合もしごき力に違いが出る他は同様である。また払拭部３５が中心軸７９に対し直交する形状である従来の払拭部材３５の形状であることも良い。
【００１９】
塗布部９は塗布棒７の表面の一部から突出し塗布棒７に形成されるＵ字状凹溝７１の断面積により塗布部９に付着する液状化粧料１の量が決定される。
塗布棒７にＵ字状凹溝７１を設けることにより塗布部９に付着する液状化粧料１の量をある程度決定できるようになる。したがってテストを重ねて塗布部９に対する液状化粧料１の付着量をある程度計算できるようになる。
【００２０】
図４は本発明に係る他の塗布部の実施例説明図である。図４（Ａ）、図４（Ｃ）は前記した図２（Ｂ）のように塗布部７、塗布部９の横断面を示す。図４（Ａ）は止め線９９を用いてブラシ毛９１をＵ字状凹溝７１に固定する例を示す。止め線９９は細いステンレス丸棒、プラスチック丸棒からなる。図４（Ａ）に示されるようにＵ字状凹溝７１の底部７３にはＵ字状凹溝７１と平行となるようにブラシ毛固定部５１が設けられている。ブラシ毛固定部５１には上部を僅かすぼめた抜け止め部５３が形成される。ブラシ毛固定部５１には止め線９９を包み込むブラシ毛９１が抜け止め部５３を押し退けて嵌着される。嵌着されるブラシ毛９１はブラシ毛固定部５１と止め線９９に挟まれ加圧されると共にブラシ毛固定部５１により脱落、浮き上がりを防止される。
【００２１】
図４（Ｂ）は前記した図２（Ｂ）と直交するよう中心軸７９を含む塗布部７、塗布部９の縦断面を示す。図４（Ｂ）はブラシ毛を帯状に成形した帯状捻りブラシ９３を固定する例を示す。捻りブラシは周知の通り一本の針金を中央で折り返して二本にして並べ、ブラシ毛９１を挟んで捻り成形するものである。本発明では従来の捻りブラシからブラシ毛を軸長方向に帯状に残し形成した帯状捻りブラシ９３を用いる。帯状捻りブラシ９３はＵ字状凹溝７１の底面７３に沿って芯金９８を配置できるようにするため芯金９８を中心にした扇状あるいは芯金９８を背にした刷毛状となる。帯状捻りブラシ９３の塗布棒７へ取り付け側となる基端部９２はＵ字状凹溝７１内で中心軸７９に沿って装着固定される。さらに先端部９４はＵ字状凹溝７１の底面７３の側に設けられた芯金固定穴７７に折り曲げにより係止され帯状捻りブラシ９３の浮き上がりを防止する。
【００２２】
図４（Ｃ）は塗布部９をＵ字状凹溝７１にインサート成形した例を示すものである。図４（Ｃ）においてＵ字状凹溝７１の底面７３には貫通孔７５が設けられている。貫通孔７５は塗布棒７のＵ字状凹溝７１と反対側に形成される抜け防止部９７とを繋ぎ塗布棒７のＵ字状凹溝７１に塗布部９を抜け落ちしないようインサート成形する。インサート成形される塗布部９を形成するブラシ毛部９５も図３に示されるようにしごき片３７にしごかれてＵ字状凹溝７１に収納される。そのため一体に成形されるブラシ毛部９５、抜け防止部９７は軟質のゴム材で成形されることが良い。尚ブラシ毛部９５、抜け防止部９７を一体に成形する手段としてはインサート成形のほかアウトサート成形、塗布棒７と塗布部９を別体に成形した後にはめ込むことも良い。
【００２３】
以上説明のとおり本発明化粧料塗布具にあっては塗布部９１を形成するブラシ毛が塗布棒に形成されたＵ字状凹溝の底部に設けることにより発明の効果の欄に記載する効果を奏する。尚、本発明についてマスカラブラシを中心にして説明してきたがアイライナー、リップグロス用のブラシ等に対して適応することも本発明の範疇にあるものである。
【図面の簡単な説明】
【００２４】
【図１】本発明化粧料塗布具を用いたマスカラ容器の組立て説明図である。
【図２】本発明に係る塗布部組み立て実施例説明図である。
【図３】容器本体における塗布部の抜き取り説明図である。
【図４】本発明に係る他の塗布部の実施例説明図である。
【符号の説明】
【００２５】
１・・・・液状化粧料
３・・・・容器本体
５・・・・キャップ
７・・・・塗布棒
９・・・・塗布部
３１・・・首筒
３３・・・雌螺子部
３５・・・払拭部材
３７・・・しごき片
５１・・・ブラシ毛固定部
５３・・・抜け止め部
７１・・・Ｕ字状凹溝
７３・・・底部
７５・・・貫通孔
７７・・・芯金固定穴
７９・・・中心軸
９１・・・ブラシ毛
９２・・・基端部
９３・・・捻りブラシ
９４・・・先端部
９５・・・ブラシ毛部
９７・・・抜け防止部
９８・・・芯金
９９・・・止め線
【図１】
0004941886.tif 000002
【図２】
0004941886.tif 000003
【図３】
0004941886.tif 000004
【図４】
0004941886.tif 000005